(57)【特許請求の範囲】
【請求項１】
先端面を注出口(１２)とする注出管部(８)を備え、容器体へ取付け可能な主管(２)と、
上記注出管部（８)の内周面に破断線(２２)を介して連結され、上記注出口(１２)を経て外方突出する先部(２４ｂ)を有する中栓(２４)と、
上記注出管部(８)に蓋周壁の基半部(４２ａ)を螺合させるとともに蓋周壁の先半部(４２ｂ)を頂壁(４４)の外周部に連結させ、中栓の抜止め手段(５２)を内部に設けた蓋体(４０)とを具備し、
上記蓋周壁の先半部(４２ｂ)と中栓の先部(２４ｂ)との間に、中栓(２４)に対する蓋体(４０)の閉方向の回動を許容するとともに開方向への回動を不能とするラチェット機構(Ｒ)を形成して、強制的に蓋体(４０)を開方向に回すことで破断線(２２)が破断されるように設けた容器用の注出具において、
ラチェット機構(Ｒ)は、蓋周壁の先半部(４２ｂ)の内周面及び中栓の先部(２４ｂ)の外周面の一方周面の全周長に亘って一定角度で等角的に配列した第１凸列(６０)と、他方周面の一側部を凸部省略エリア(Ａ２)としてこのエリアを除く周長部分に亘って一定角度で等角的に配列した第２凸列(６２)とで形成したことを特徴とする、容器用の注出具。
【請求項２】
上記他方周面の全領域を、第２凸列(６２)の各第２凸部(６２ａ)を含む円弧状の凸部形成エリアと上記凸部省略エリア(Ａ２)とに区分して、この凸部省略エリアの周方向の長さを他方周面の全周長の１／４以下としたことを特徴とする、請求項１記載の容器用の注出具。
【請求項３】
上記第１凸列(６０)及び第２凸列(６２)のうちの一方を歯列とし、他方を爪列としたことを特徴とする、請求項１または２に記載の容器用の注出具。
【発明の詳細な説明】
【技術分野】
【０００１】
本発明は、容器用（例えば液体容器用）の注出具に関する。
【背景技術】
【０００２】
液体容器用の注出具として、筒壁の中間部に容器体の口部への取付部を設けた主管を有し、この主管に、有頂筒形の蓋体の周壁下端に破断線を介して付した封緘リングを嵌合し、この封緘リングの内周面と主管の外周面とに、閉方向への回動が可能で開方向への回動を不能とするラチェット機構を設けたものが知られている（特許文献１）。
また、容器の液密性を高めるために、容器体の注出筒内に有底筒形の栓体を嵌合し、さらに容器体の上部にキャップを嵌合させたときにキャップ頂壁から垂下する連結筒が上記栓体内に分離不能に結合し、再びキャップを外したときに栓体がキャップ側へ移行するように構成したものが知られている（特許文献２）。
【先行技術文献】
【特許文献】
【０００３】
【特許文献１】特開２００８−３０８１９３
【特許文献２】特開２０１０−０５２８１０
【特許文献３】特開２００６−１２５５７６
【発明の概要】
【発明が解決しようとする課題】
【０００４】
特許文献１の容器の構造においてさらに密閉性を向上する必要があるときには、上述のような栓体を導入することが有利である。しかし特許文献２のように栓体を、注出筒と別体として形成すると部品数が多くなり、好ましくない。
【０００５】
これに対して注出筒と栓体とを破断線（肉薄線）を介して分離可能な一体品に形成することが考えられるが、この場合に破断線の厚みを適正に設計することが難しい。肉厚が過小であると不意にシール性が損なわれる可能性があり、肉厚が過大であると、破断操作に大きな力を必要としたり、破断線が完全に破断されない可能性があるからである。
【０００６】
本出願人は、この問題を鋭意検討し、ラチェット機構の歯列及び爪列のうちで歯又は爪の一部を省略することでこの機構本来の作用である回動力の他に中栓を傾動させる構造に想到した。
尚、爪列とは、一方向の回転において径方向に弾性変形し、歯列を乗り越え可能な弾性板構造となっており、歯列は実質的に弾性変形しない凸部で構成されている。
【０００７】
従来技術においてはこうした工夫は見当たらない。例えば歯車の一部を欠歯とするものはあるが（特許文献３）、これは歯車と噛合する従動部が欠歯部分と向かい合ったときに一時的に動力の伝達が遮断されるものであり、歯又は爪の欠所を造ることで別の力を加えるという着想は存在しない。
【０００８】
本発明の目的は、主管内周面に破断線を介して中栓を一体的に形成するとともに、この中栓と蓋体との間にラチェット機構を設けた注出具であって、ラチェット機構によって伝達される回転力以外の力を併用してあわせて破断線を容易に破断できるものを提案することである。
【課題を解決するための手段】
【０００９】
第１の手段は、先端面を注出口１２とする注出管部８を備え、容器体へ取付け可能な主管２と、
上記注出管部８の内周面に破断線２２を介して連結され、上記注出口１２を経て外方突出する先部２４ｂを有する中栓２４と、
上記注出管部８に蓋周壁の基半部４２ａを螺合させるとともに蓋周壁の先半部４２ｂを頂壁４４の外周部に連結させ、中栓の抜止め手段５２を内部に設けた蓋体４０とを具備し、
上記蓋周壁の先半部４２ｂと中栓の先部２４ｂとの間に、中栓２４に対する蓋体４０の閉方向の回動を許容するとともに開方向への回動を不能とするラチェット機構Ｒを形成して、強制的に蓋体４０を開方向に回すことで破断線２２が破断されるように設けた容器用の注出具において、
ラチェット機構Ｒは、蓋周壁の先半部４２ｂの内周面及び中栓の先部２４ｂの外周面の一方周面の全周長に亘って一定角度で等角的に配列した第１凸列６０と、他方周面の一側部を凸部省略エリアＡ２としてこのエリアを除く周長部分に亘って一定角度で等角的に配列した第２凸列６２とで形成している。
【００１０】
本手段は、図２に示す蓋周壁と中栓との間のラチェット機構を構成する第１凸列６０及び第２凸列６２のうち後者の一部の凸部を省略することを提案する。環状の通常のラチェット機構では、中心軸の回りに回転力のみが作用する。これは、中栓がその中心軸をはさんで対向する２つの箇所に存する蓋周壁側の凸部から、大きさが同じで反対向きの２つの力（偶力）を受けるからである。本発明では、周方向の一部で凸部を省略することで、中栓の両側部に加わるべき力の一方がなくなり、他方に作用する力が中栓を傾動させる働きをする。その結果として破断線形成箇所が垂直方向に歪み、特定の部分に応力が集中することで破断線の破断を確実にする。
【００１１】
第１凸列及び第２凸列は、一方の凸部が他方の凸部を蓋体の閉方向へ乗り越え可能で、開方向へは乗り越え出来ない形状の構造（例えば歯列及び爪列）とすればよい。各凸列の配置の態様としては、凸部の一部を省略した第２凸列を蓋周壁側に形成する場合及び中栓側に設ける場合が考えられ、さらに当該第２凸列を歯列とする場合と爪列とする場合とがあるので４つの態様が存在する。「凸部省略エリア」は、後述の通り他方周面のうち凸部形成エリア（凸部を含む円弧の部分）を除く部分として定義される。
【００１２】
第２の手段は、第1の手段を有し、かつ上記他方周面の全領域を、第２凸列６２の各第２凸部６２ａを含む円弧状の凸部形成エリアと上記凸部省略エリアＡ２とに区分して、この凸部省略エリアの周方向の長さを他方周面の全周長の１／４以下とした。
【００１３】
本手段では、凸部省略エリアを他方周面の全周長の１／４以下とすることを提案する。すなわち全周長を４つのエリアに分割して、そのうちの一つで凸部を省略することを意味する。一つのエリアに対応する凸部の数は一つに限らない。図７に１エリア内の凸部の数を複数とした例を示す。
【００１４】
第３の手段は、第１又は第２の手段を有し、かつ上記第１凸列６０及び第２凸列６２のうちの一方を歯列とし、他方を爪列としている。
【００１５】
本手段では、ラチェットの構造を確認的に規定している。すなわちラチェットを構成する歯列及び爪列のいずれを省略しても構わない。歯と爪とが当接し合わないことで、偶力の代わりに一方向力が働くという点では作用が同じだからである。逆に言えば第１凸列及び第２凸列との間で凸部同士が係合する（閉方向には乗り越え、開方向には係止する）という機能を有しない突起は本願にいう凸部ではない。本願の凸部省略エリアに相当する箇所にラチェット歯や爪とは別の目的の突起が存在しても、凸部省略エリアの作用を損なわない。
【発明の効果】
【００１６】
第１の手段に係る発明によれば、ラチェット機構Ｒを、蓋周壁側及び中栓側の各周面にそれぞれ配置した第１凸列６０と第２凸列６２とで形成し、第２凸列に関しては周面の一部で凸部を省略したから、中栓に回転力及び傾動力を付与し、破断線の破断を確実にすることができる。
【００１７】
第２の手段に係る発明によれば、凸部省略エリアＡ２を周面の全周長の１／４以下としたから、中栓に効率的に傾動力を付与することができる。
【００１８】
第３の手段に係る発明によれば、第１凸列６０及び第２凸列６２の一方を歯列に他方を爪列にしたから、各凸列の係合を確実にすることができる。
【図面の簡単な説明】
【００１９】
【図１】本発明の第１実施形態に係る注出具の縦断面図である。
【図２】図１の注出具の一つの要部の横断面図である。
【図３】図１の注出具の要部の縦断面図である。
【図４】本発明の注出具の作用を説明するための簡素化した概略横断面図である。
【図５】図４に対応する縦断面図である。
【図６】図５の注出具の他の段階を示す縦断面図である。
【図７】本発明の変形例を示す横断面図である。
【発明を実施するための最良の形態】
【００２０】
図１から図３は、本発明の第１の実施形態に係る注出具１を示している。この注出具は、主管２と、中栓２４と、蓋体４０とで構成されている。これら各部材は特に断らない限り合成樹脂で形成することができる。
【００２１】
主管２は、図示例では主管２の中間部を容器体８０の口頸部への取付部であるフランジ部４とし、容器体内への挿入用の吸込み管部６及び容器体外方への突出用の注出管部８を有する。
【００２２】
上記主管２の基端面（下端面）は吸込み口１０とし、主管２の先端面（上端面）は、注出口１２としている。図示例では、中間部の下方（フランジ部４の下方）近くに補助吸込み口１１を開口している。
【００２３】
上記注出管部８の上方には、後述の破断線の上方に位置する上端部９を除いて、その外面にネジ部１４を形成している。またネジ部よりやや下方には、係止鍔部１５を形成している。
【００２４】
中栓２４は、注出管部８の内周面に破断線２２を介して一体に連結されている。この破断線２２は脆弱であるがシール性を有する構造、例えば肉薄線に形成する。
【００２５】
上記中栓２４は、基部２４ａと先部２４ｂとで形成している。図示例の基部２４ａは、栓筒２６の上端側を先端小径のテーパ状の肩部を介して注出口１２を閉塞する栓板２８の外周部へ連結してなり、その栓筒の下端部を上記破断線２２に連続させている。
【００２６】
また上記中栓の先部２４ｂは、上記栓板の外周部から上記栓筒より小径で上端開放の連結筒３４を起立しており、この連結筒の内部に抜止め用のリブを周設している。
【００２７】
蓋体４０は、蓋周壁４２の上端（先端）を頂壁４４に連結している。蓋周壁の基端側の半部（基半部４２ａ）は上記注出管部８のネジ部に螺合されている。また蓋周壁の外面には一対の指当て板４８を付設している。蓋周壁４２の下端には破断帯を介して付設した封緘リング５０を、上記係止鍔部１５に抜け出し不能に嵌合させている。
【００２８】
上記蓋体４０の頂壁からは抜止め手段５２としての抜止め筒を垂下しており、上記連結筒内に係合させている。
【００２９】
本発明においては、蓋周壁の先半部４２ｂ内周面に形成した第１凸列６０と、中栓の連結筒３４外周面に形成した第２凸列６２とでラチェット機構Ｒを形成する。
【００３０】
上記第１凸列６０は、蓋周壁の先半部４２ｂの内周面の全周に亘って中栓の中心軸周りに一定の角度で等角的に第１凸部６０ａを配列している。
【００３１】
上記第２凸列６２は、上記連結筒３４の外周面の一部を凸部省略エリアＡ２としてこのエリアを除く周長部分に一定の角度で等角的に配列している。図示例では一つの係止凸部を省略している。
【００３２】
図示例では第１凸部６０ａをラチェット爪に、また第２凸部６２ａをラチェット歯に形成しているが、その構造は適宜変更することができる。
【００３３】
上記構成によれば、第２凸列のうちの凸部の一部を省略しているので、蓋体を開方向に回動したときに、中栓に対して回転力とともに傾動力が作用し、特定の破断線形成箇所（例えば、傾倒方向の前後２箇所）で局所的な変形を生じ、これにより破断線が容易に破断する。
【００３４】
図４から図６は、本発明の作用を説明するための図である。これらの図では、説明を簡素化するために第１凸列の凸部の数を４つとしている。
【００３５】
図４において連結筒３４の外周面は、３つの凸部形成エリアＡ１と１つの凸部省略エリアＡ２とに分かれる。第１凸列６０では、同図の左右に表れる一対の第１凸部６０ａが、中心軸Ｏを中心として１８０°回転対称位置にあり、対向配置されている。また、同図の上下に表れる第１凸部と当該凸部の欠落部も対向配置されている。
【００３６】
蓋体を開方向に回転させると、図４における左右一対の凸部はそれぞれ第２凸部６２ａと係合しているので、図４に示すように大きさの異なる反対向きの回転力Ｔを中栓に及ぼす。しかし、図４の上下に表れる第１凸部と当該凸部の欠落部では、下側の第１凸部６０ａのみが第２凸部６２ａと係合しているため、一方向への力Ｆを及ぼす。これにより中栓２４が図６に示すように傾動し、破断線形成箇所が傾動方向の２箇所（前後）に縦方向に延ばされる。これに加えて開方向の回動力が加わるために破断線を確実に切断することができる。
【００３７】
なお、本発明では、蓋体の抜止め手段（抜止め筒）５２が中栓の傾動を妨げないように、抜止め筒と連結筒との間に抜止め作用を損なわない範囲で遊びを設け、或いは抜止め筒の弾性変形が可能に設ける。
【００３８】
図７は、本発明の変形例である。この変形例では、各凸部省略エリア及び凸部形成エリアが中心軸に対してなす角度θを９０°とするとともに、一つのエリアに対応する凸部の個数を２としたものである。この構成では、図４とほぼ同様の作用が得られる。言いかえれば第１凸列の凸部の数が多い場合でも隣接する複数の凸部を省略することで、本発明を適用することができる。
【００３９】
尚、上記実施形態では、第１凸部６０ａと第２凸部６２ａ（欠落部を含む）との形成数を同数としたが、これに限定されない。
例えば、一つの第２凸部６２ａに対して、複数の第１凸部６０ａがそれぞれ対応するように配置されても良い。
【符号の説明】
【００４０】
１…注出具  ２…主管    ４…フランジ部  ６…吸込み管部  ８…注出管部
９…注出管上端部  １０…吸込み口  １１…補助吸込み口  １２…注出口
１４…ネジ部  １５…係止鍔部  ２２…破断線  ２４…中栓  ２４ａ…基部  ２４ｂ…先部  ２６…栓筒  ２８…栓板  
３４…連結筒  ３６…ラチェット歯  
４０…蓋体  ４２…蓋周壁  ４２ａ…基半部  ４２ｂ…先半部  ４４…頂壁  ４６…ラチェット爪  ４８…指当て板
５０…封緘リング  ５２…抜止め手段  
６０…第１凸列  ６０ａ…第１凸部  ６２…第２凸列  ６２ａ…第２凸部
８０…容器体  
Ａ１…凸部形成エリア  Ａ２…凸部省略エリア  Ｒ…ラチェット機構  Ｐ…凸部対
θ…中心角
【図１】
0005454931.tif 000002
【図２】
0005454931.tif 000003
【図３】
0005454931.tif 000004
【図４】
0005454931.tif 000005
【図５】
0005454931.tif 000006
【図６】
0005454931.tif 000007
【図７】
0005454931.tif 000008